(57)【特許請求の範囲】
【請求項１】
サーバからイメージを取得して蓄積し、蓄積した複数のイメージのうちいずれかを表示する情報端末装置であって、
前記イメージ、およびそのイメージと互いに関連付けられ、かつそのイメージが何のイメージであるかを識別可能とする情報（以下、イメージ情報）を含む文書を、前記サーバから取得する取得手段、
前記取得手段が取得したイメージを蓄積記憶するイメージ蓄積記憶手段、
前記取得手段が取得した文書から前記イメージ情報を抽出するイメージ情報抽出手段、
前記イメージ情報抽出手段が抽出した複数のイメージ情報のうちいずれかを選択する選択手段、および
前記選択手段が選択したイメージ情報と互いに関連付けられたイメージを前記イメージ蓄積記憶手段から取得して、表示領域内の背景画面として表示するイメージ表示手段を備え、
前記イメージ表示手段は、前記選択手段が選択したイメージ情報と互いに関連付けられたイメージが前記イメージ蓄積記憶手段に存在しない場合、前記取得手段に依頼して当該イメージを前記サーバから取得させることを特徴とする、情報端末装置。
【請求項２】
前記イメージ情報抽出手段が抽出した複数のイメージ情報で構成されるリストを作成するリスト作成手段、および
前記リスト作成手段が作成したリストを表示するリスト表示手段をさらに備え、
前記選択手段は、ユーザからの入力に従い、前記リスト表示手段が表示したリストを構成する複数のイメージ情報のうちいずれかを選択することを特徴とする、請求項１に記載の情報端末装置。
【請求項３】
前記リスト作成手段は、前記イメージ情報を一次元状に並べたリストを作成し、
前記選択手段は、選択対象となるイメージ情報を前記リスト内で所定の方向に移動させる第１のキー、選択対象となるイメージ情報を前記リスト内で前記所定の方向とは逆の方向に移動させる第２のキー、および、選択されるイメージ情報を決定する決定キーからの入力に基づき、前記リストを構成する複数のイメージ情報のうちいずれかを選択することを特徴とする、請求項２に記載の情報端末装置。
【請求項４】
情報端末装置によって行われ、サーバからイメージを取得して蓄積し、蓄積した複数のイメージのうちいずれかを選択して表示する方法であって、
前記イメージ、およびそのイメージと互いに関連付けられ、かつそのイメージが何のイメージであるかを識別可能とする情報（以下、イメージ情報）を含む文書を、前記サーバから取得する取得ステップ、
前記取得ステップで取得したイメージを蓄積記憶するイメージ蓄積記憶ステップ、
前記取得ステップで取得した文書から前記イメージ情報を抽出するイメージ情報抽出ステップ、
前記イメージ情報抽出ステップで抽出した複数のイメージ情報のうちいずれかを選択する選択ステップ、および
前記イメージ蓄積記憶ステップで蓄積記憶したイメージのうち、前記選択ステップで選択したイメージ情報と互いに関連付けられたイメージを表示領域内の背景画面として表示するイメージ表示ステップを備え、
前記イメージ表示ステップでは、前記イメージ蓄積記憶ステップで蓄積記憶されたイメージの中に、前記選択ステップで選択したイメージ情報と互いに関連付けられたイメージがない場合、当該イメージを前記サーバから取得して表示することを特徴とする、イメージ選択表示方法。
【請求項５】
前記イメージ情報抽出ステップで抽出した複数のイメージ情報で構成されるリストを作成するリスト作成ステップ、および
前記リスト作成ステップで作成したリストを表示するリスト表示ステップをさらに備え、
前記選択ステップでは、ユーザからの入力に従い、前記リスト表示ステップで表示したリストを構成する複数のイメージ情報のうちいずれかを選択することを特徴とする、請求項４に記載のイメージ選択表示方法。
【請求項６】
前記リスト作成ステップでは、前記イメージ情報を一次元状に並べたリストを作成し、
前記選択ステップでは、選択対象となるイメージ情報を前記リスト内で所定の方向に移動させる第１のキー、選択対象となるイメージ情報を前記リスト内で前記所定の方向とは逆の方向に移動させる第２のキー、および、選択されるイメージ情報を決定する決定キーからの入力に基づき、前記リストを構成する複数のイメージ情報のうちいずれかを選択することを特徴とする、請求項５に記載のイメージ選択表示方法。
【請求項７】
サーバからイメージを取得して蓄積し、蓄積した複数のイメージのうちいずれかを選択して表示する方法を情報端末装置に行わせるためのプログラムを記録した記録媒体であって、
前記イメージ、およびそのイメージと互いに関連付けられ、かつそのイメージが何のイメージであるかを識別可能とする情報（以下、イメージ情報）を含む文書を、前記サーバから取得する取得ステップ、
前記取得ステップで取得したイメージを蓄積記憶するイメージ蓄積記憶ステップ、
前記取得ステップで取得した文書から前記イメージ情報を抽出するイメージ情報抽出ステップ、
前記イメージ情報抽出ステップで抽出した複数のイメージ情報のうちいずれかを選択する選択ステップ、および
前記イメージ蓄積記憶ステップで蓄積記憶したイメージのうち、前記選択ステップで選択したイメージ情報と互いに関連付けられたイメージを表示領域内の背景画面として表示するイメージ表示ステップを備えるイメージ選択表示方法を、前記情報端末装置に行わせるためのプログラムを記録し、
前記イメージ表示ステップでは、前記イメージ蓄積記憶ステップで蓄積記憶されたイメージの中に、前記選択ステップで選択したイメージ情報と互いに関連付けられたイメージがない場合、当該イメージを前記サーバから取得して表示することを特徴とする、記録媒体。
【請求項８】
前記イメージ選択表示方法は、
前記イメージ情報抽出ステップで抽出した複数のイメージ情報で構成されるリストを作成するリスト作成ステップ、および
前記リスト作成ステップで作成したリストを表示するリスト表示ステップをさらに備え、
前記選択ステップでは、ユーザからの入力に従い、前記リスト表示ステップで表示したリストを構成する複数のイメージ情報のうちいずれかを選択することを特徴とする、請求項７に記載の記録媒体。
【請求項９】
前記リスト作成ステップでは、前記イメージ情報を一次元状に並べたリストを作成し、
前記選択ステップでは、選択対象となるイメージ情報を前記リスト内で所定の方向に移動させる第１のキー、選択対象となるイメージ情報を前記リスト内で前記所定の方向とは逆の方向に移動させる第２のキー、および、選択されるイメージ情報を決定する決定キーからの入力に基づき、前記リストを構成する複数のイメージ情報のうちいずれかを選択することを特徴とする、請求項８に記載の記録媒体。
【発明の詳細な説明】
【０００１】
【発明の属する技術分野】
本発明は、情報端末装置に関し、より特定的には、サーバからインターネットを通じて文書やイメージを取得する機能を持った携帯電話や携帯情報端末等の小型情報端末に関する。
【０００２】
【従来の技術】
近年、高度情報化が進む中、ユーザがパソコンにアクセス先のアドレスを入力するだけで、インターネットを通じていろいろな情報を即時に取得することが可能となってきた。取得する情報は、ＨＴＭＬ（ＨｙｐｅｒＴｅｘｔＭａｒｋｕｐＬａｎｇｕａｇｅ）などで記述されたハイパーテキストや、ＭＩＭＥ（ＭｕｌｔｉｐｕｒｐｏｓｅＩｎｔｅｒｎｅｔＭａｉｌＥｘｔｅｎｓｉｏｎｓ）で記述されたメールなどである。ブラウザと呼ばれるアプリケーションを搭載したハイパーテキスト表示装置や、メーラと呼ばれるアプリケーションを搭載したメール表示装置を用いることにより、ユーザは、サーバへ情報の取得を要求したり、サーバから取得した情報を画面に表示したりすることができる。
このようなブラウザとしては、「ＮｅｔｓｃａｐｅＮａｖｉｇａｔｏｒ」や「ＩｎｔｅｒｎｅｔＥｘｐｌｏｒｅｒ」などが広く普及している。これらのブラウザでは、サーバからインターネットを通じて画像情報（イメージ）を取得し、それをバックグラウンド（背景画面）やスクリーンセーバとして利用することができる。
【０００３】
さて、最近、機器の小型化に伴ない、携帯電話や携帯情報端末等の小型情報端末装置にもブラウザやメーラが搭載されるようになってきた。そして、小型情報端末装置においても、パソコンの場合と同様、サーバからイメージを取得して、それを背景画面等として利用したいという要求が生まれている。
【０００４】
また、パソコンの場合、サーバからイメージを取得して背景画面として利用する際に、複数枚のイメージを蓄積記憶しておき、それら複数枚のイメージの中から１枚を選択して背景画面として利用することができる。よって、小型情報端末装置において、サーバからイメージを取得して背景画面として利用する場合にも、パソコンの場合と同様、イメージを選択したいという要求が生じることが予想される。
【０００７】
【発明が解決しようとする課題】
ポインティングデバイスを持たない情報端末装置、特に携帯電話では、サーバから取得した複数枚のイメージの中からユーザの希望する１枚を選択することが容易に行えない。
【０００８】
なお、ポインティングデバイスを持たない情報端末装置において、複数枚のイメージの中からユーザの希望する１枚を選択するには、例えば、次のような方法が考えられる。すなわち、複数枚のイメージの名称を画面上に表示し、ユーザがキー操作によって１つの名称を指定するのを受けて、その名称と対応するイメージを選択する。この場合、各イメージの名称を生成する必要があるが、情報端末装置にとってはどのようなイメージも画素データの集合に過ぎないので、それが容易でない。
【００１０】
それゆえに、本発明の目的は、サーバからイメージを取得して蓄積し、蓄積した複数枚のイメージの中からユーザの希望するイメージを選択して表示することができるような情報端末装置を提供することである。
【００１１】
【課題を解決するための手段および発明の効果】
第１の発明は、サーバからイメージを取得して蓄積し、蓄積した複数のイメージのうちいずれかを表示する情報端末装置であって、
イメージ、およびそのイメージと互いに関連付けられ、かつそのイメージが何のイメージであるかを識別可能とする情報（以下、イメージ情報）を含む文書を、サーバから取得する取得手段、
取得手段が取得したイメージを蓄積記憶するイメージ蓄積記憶手段、
取得手段が取得した文書からイメージ情報を抽出するイメージ情報抽出手段、
イメージ情報抽出手段が抽出した複数のイメージ情報のうちいずれかを選択する選択手段、および
選択手段が選択したイメージ情報と互いに関連付けられたイメージをイメージ蓄積記憶手段から取得して、表示領域内の背景画面として表示するイメージ表示手段を備え、
イメージ表示手段は、選択手段が選択したイメージ情報と互いに関連付けられたイメージがイメージ蓄積記憶手段に存在しない場合、取得手段に依頼して当該イメージをサーバから取得させることを特徴としている。
上記第１の発明では、サーバからイメージを取得して蓄積し、蓄積した複数枚のイメージの中からイメージを選択して、表示領域内の背景画面として表示することができるようになる。また、選択したイメージ情報と互いに関連付けられたイメージが蓄積記憶されていない場合、そのイメージをサーバから取得することができる。
【００１２】
第２の発明は、第１の発明において、
イメージ情報抽出手段が抽出した複数のイメージ情報で構成されるリストを作成するリスト作成手段、および
リスト作成手段が作成したリストを表示するリスト表示手段をさらに備え、
選択手段は、ユーザからの入力に従い、リスト表示手段が表示したリストを構成する複数のイメージ情報のうちいずれかを選択することを特徴としている。
上記第２の発明では、サーバからイメージを取得して蓄積し、蓄積した複数枚のイメージの中からユーザの希望するイメージを選択して表示することができるようになる。
【００１３】
第３の発明は、第２の発明において、
リスト作成手段は、イメージ情報を一次元状に並べたリストを作成し、
選択手段は、選択対象となるイメージ情報をリスト内で所定の方向に移動させる第１のキー、選択対象となるイメージ情報をリスト内で所定の方向とは逆の方向に移動させる第２のキー、および、選択されるイメージ情報を決定する決定キーからの入力に基づき、リストを構成する複数のイメージ情報のうちいずれかを選択することを特徴としている。
【００２０】
第４の発明は、情報端末装置によって行われ、サーバからイメージを取得して蓄積し、蓄積した複数のイメージのうちいずれかを選択して表示する方法であって、
イメージ、およびそのイメージと互いに関連付けられ、かつそのイメージが何のイメージであるかを識別可能とする情報（以下、イメージ情報）を含む文書を、サーバから取得する取得ステップ、
取得ステップで取得したイメージを蓄積記憶するイメージ蓄積記憶ステップ、
取得ステップで取得した文書からイメージ情報を抽出するイメージ情報抽出ステップ、
イメージ情報抽出ステップで抽出した複数のイメージ情報のうちいずれかを選択する選択ステップ、および
イメージ蓄積記憶ステップで蓄積記憶したイメージのうち、選択ステップで選択したイメージ情報と互いに関連付けられたイメージを表示領域内の背景画面として表示するイメージ表示ステップを備え、
イメージ表示ステップでは、イメージ蓄積記憶ステップで蓄積記憶されたイメージの中に、選択ステップで選択したイメージ情報と互いに関連付けられたイメージがない場合、当該イメージをサーバから取得して表示することを特徴としている。
【００２１】
第５の発明は、第４の発明において、
イメージ情報抽出ステップで抽出した複数のイメージ情報で構成されるリストを作成するリスト作成ステップ、および
リスト作成ステップで作成したリストを表示するリスト表示ステップをさらに備え、
選択ステップでは、ユーザからの入力に従い、リスト表示ステップで表示したリストを構成する複数のイメージ情報のうちいずれかを選択することを特徴としている。
【００２２】
第６の発明は、第５の発明において、
リスト作成ステップでは、イメージ情報を一次元状に並べたリストを作成し、
選択ステップでは、選択対象となるイメージ情報をリスト内で所定の方向に移動させる第１のキー、選択対象となるイメージ情報をリスト内で所定の方向とは逆の方向に移動させる第２のキー、および、選択されるイメージ情報を決定する決定キーからの入力に基づき、リストを構成する複数のイメージ情報のうちいずれかを選択することを特徴としている。
【００２９】
第７の発明は、サーバからイメージを取得して蓄積し、蓄積した複数のイメージのうちいずれかを選択して表示する方法を情報端末装置に行わせるためのプログラムを記録した記録媒体であって、
イメージ、およびそのイメージと互いに関連付けられ、かつそのイメージが何のイメージであるかを識別可能とする情報（以下、イメージ情報）を含む文書を、サーバから取得する取得ステップ、
取得ステップで取得したイメージを蓄積記憶するイメージ蓄積記憶ステップ、
取得ステップで取得した文書からイメージ情報を抽出するイメージ情報抽出ステップ、
イメージ情報抽出ステップで抽出した複数のイメージ情報のうちいずれかを選択する選択ステップ、および
イメージ蓄積記憶ステップで蓄積記憶したイメージのうち、選択ステップで選択したイメージ情報と互いに関連付けられたイメージを表示領域内の背景画面として表示するイメージ表示ステップを備えるイメージ選択表示方法を、情報端末装置に行わせるためのプログラムを記録し、
イメージ表示ステップでは、イメージ蓄積記憶ステップで蓄積記憶されたイメージの中に、選択ステップで選択したイメージ情報と互いに関連付けられたイメージがない場合、当該イメージをサーバから取得して表示することを特徴としている。
【００３０】
第８の発明は、第７の発明において、イメージ選択表示方法は、
イメージ情報抽出ステップで抽出した複数のイメージ情報で構成されるリストを作成するリスト作成ステップ、および
リスト作成ステップで作成したリストを表示するリスト表示ステップをさらに備え、
選択ステップでは、ユーザからの入力に従い、リスト表示ステップで表示したリストを構成する複数のイメージ情報のうちいずれかを選択することを特徴としている。
第９の発明は、第８の発明において、
リスト作成ステップでは、イメージ情報を一次元状に並べたリストを作成し、
選択ステップでは、選択対象となるイメージ情報をリスト内で所定の方向に移動させる第１のキー、選択対象となるイメージ情報をリスト内で所定の方向とは逆の方向に移動させる第２のキー、および、選択されるイメージ情報を決定する決定キーからの入力に基づき、リストを構成する複数のイメージ情報のうちいずれかを選択することを特徴としている。
【００４９】
【発明の実施の形態】
以下、本発明の実施の形態について、図面を用いて詳細に説明する。
はじめに、本発明が適用される移動体通信システムについて説明しておく。
図１は、本発明の一適用例である移動体通信システムの構成を示すブロック図である。図１において、移動体通信通信システムは、インターネット１７に接続されたＧＷ（ゲートウェイ）サーバ１６と、同じくインターネット１７に接続された複数のＷＷＷサーバ（ここでは、代表としてＷＷＷサーバ１８，１９のみを示す）と、ＧＷサーバ１６に接続された交換機１５と、交換機１５に接続され管理される複数の基地局（ここでは、代表として基地局１２〜１４のみを示す）と、それら基地局が管理する無線ゾーン（ここでは、代表として基地局１２が管理する無線ゾーン２０のみを示す）と、いずれかの無線ゾーン内に位置している移動体装置（ここでは、代表として無線ゾーン２０内に位置している移動体装置１０，１１のみを示す）とから構成されている。
【００５０】
ＷＷＷサーバ１８，１９は、ＨＴＭＬなどのハイパーテキストで記述されたＨＴＭＬ文書や、イメージなどを保存している。また、移動体装置１０，１１は、ＷＷＷサーバ１８，１９へ情報の取得を要求することにより、インターネット１７を通じてＷＷＷサーバ１８，１９が保持する情報を取得し、移動体装置１０，１１の表示画面を用いて表示することが可能である。なお、基地局１２と無線ゾーン２０内の移動体装置１０，１１との間の通信には、例えば、ＣＤＭＡを用いたデジタル通信方式が採用されている。
【００５１】
図２は、図１に示される移動体装置１０の構成の一例を示すブロック図である。図２において、移動体装置１０は、アンテナ２１と、無線制御部２２と、変調部２３と、復調部２４と、チャネルＣＯＤＥＣ２５と、音声入力部２６と、音声出力部２７と、入力部２８と、表示部２９と、通信アプリ部３０とから構成されている。
【００５２】
無線制御部２２は、変調部２３から与えられる変調データを無線搬送波に乗せてアンテナ２１から送信する機能と、アンテナ２１に誘起した高周波信号の中から所定の周波数帯の信号を受信する機能とを有する。変調部２３は、チャネルＣＯＤＥＣ２５から出力される送信データを所定の方式で変調（例えば、π／４シフトＤＱＰＳＫ変調）し、無線制御部２２に出力する。復調部２４は、無線制御部２２によって受信された信号を復調して、チャネルＣＯＤＥＣ２５に与える。チャネルＣＯＤＥＣ２５は、復調部２４から入力されたデータを音声出力部２７または通信アプリ部３０に振り分けて出力する。また、音声入力部２６から入力された音声を変調部２３または通信アプリ部３０に振り分けて出力する。さらに、通信アプリ部３０から入力されたデータを変調部２３または音声出力部２７に振り分けて出力する。
【００５３】
入力部２８は、キーボードやボタン等によって構成され、ダイヤル番号や表示画面操作データ等の入力処理を行う。表示部２９は、ディスプレイ装置等によって構成され、通信アプリ部３０から出力されるデータを、画面表示、バイブレーション出力等する。通信アプリ部３０は、ＣＰＵ３１、ＲＡＭ３２、ＲＯＭ３３、ＶＲＡＭ３４等を含み、移動体装置１０の通信の接続制御を行ったり、送信データの作成、受信データの表示や保存など、送受信データの処理制御を行う。
【００５４】
図３は、図２に示される通信アプリ部３０の構成の一例を示すブロック図である。図３において、通信アプリ部３０は、入力制御部１０１と、音声制御部１０２と、表示制御部１０３と、アプリ管理部１０４と、ブラウザアプリ１０５と、メールアプリ１０６と、音声電話アプリ１０７と、通信制御部１０８とから構成される。
【００５５】
入力制御部１０１は、入力部２８から受信した入力キー情報等をアプリ管理部１０４に通知する。音声制御部１０２は、音声入力部２６から受信した音声をアプリ管理部１０４に通知したり、アプリ管理部１０４から通知された音声をチャネルＣＯＤＥＣ２５へ出力するための制御を行う。表示制御部１０３は、アプリ管理部１０４から通知された表示情報を表示部２９へ出力するための制御を行う。アプリ管理部１０４は、移動体装置１０に実装されている複数のアプリケーションの切替管理を行ったり、各アプリケーションと入力制御部１０１や音声制御部１０２、表示制御部１０３との間で情報を配送するための制御を行う。
【００５６】
ここでは、ブラウザアプリ１０５、メールアプリ１０６、音声電話アプリ１０７の３つのアプリケーションが移動体装置１０に実装されているものとした。ただし、実装されるのがこの３つのアプリケーションに限定されないのは明らかである。
また、移動体装置１０に実装される複数のアプリケーションは、音声サービス対応アプリケーションと、文字サービス対応アプリケーションとに分類することができる。音声サービス対応アプリケーションは、文字データやイメージデータなどの送受信は行わず音声のみをサポートする。一方、文字サービス対応アプリケーションは、文字データやイメージデータなどの送受信を行い、送受信対象の各情報の画面表示をサポートする。例えば、ブラウザアプリ１０５やメールアプリ１０６は、文字サービス対応アプリケーションであり、音声電話アプリ１０７は、音声サービス対応アプリケーションとなる。
通信制御部１０８は、各アプリケーション（１０５〜１０７）からの指示に従い、発着信などの呼接続制御やデータ通信制御などを行う。
【００５７】
さて、以下に説明する第１の実施形態では、本発明のイメージサイズ変換表示方法を移動体装置１０に実行させるためのプログラムが、移動体装置１０に実装されたブラウザアプリ１０５に組み込まれている。そして、通信アプリ部３０において、通信制御部１０８が上記プログラムの組み込まれたブラウザアプリ１０５からの指示に従って制御を行い、それによって、移動体装置１０は、後述するようなイメージサイズ変換表示処理を行うことができる。
【００５８】
また、第２の実施形態では、本発明のイメージ選択表示方法を移動体装置１０に実行させるためのプログラムが、移動体装置１０に実装されたブラウザアプリ１０５に組み込まれている。そして、通信アプリ部３０において、通信制御部１０８が上記プログラムの組み込まれたブラウザアプリ１０５からの指示に従って制御を行い、それによって、移動体装置１０は、後述するようなイメージ選択表示処理を行うことができる。
【００５９】
ここで、上記の各プログラムを、移動体装置１０に実装されたブラウザアプリ１０５に組み込む方法としては、次の３つの方法が考えられる。第１は、移動体装置１０の出荷前、上記の各プログラムをブラウザアプリ１０５に予め組み込んでおく方法である。第２は、インターネット１７や移動体通信網等のネットワークを通じて上記の各プログラムを移動体装置１０に供給し、ブラウザアプリに組み込む方法である。第３は、上記の各プログラムをＣＤ−ＲＯＭ等の携帯型記録媒体に格納してユーザに提供し、ユーザがパソコン等を用いて携帯型記録媒体からそのプログラムを読み出して移動体装置１０へと転送し、ブラウザアプリに組み込む方法である。ただし、第２，第３の方法では、移動体装置１０に組み込み処理を行わせるための別のプログラムを、上記の各プログラムに添付しておく必要がある。
【００６０】
なお、ここでは、ブラウザアプリ１０５に上記のプログラムが組み込まれるとしたが、代わりに、移動体装置１０に実装されている他のアプリケーションに組み込んでもよく、あるいは、上記のプログラム単独で構成された新たなアプリケーションを移動体装置１０に実装してもよいのはいうまでもない。
【００６１】
（第１の実施形態）
図４は、本発明の第１の実施形態に係る移動体装置の機能的な構成を示すブロック図である。図４に示される移動体装置は、図１に示される移動体装置１０，１１と対応している。そのハードウエア的な構成は、図２に示され、図２の通信アプリ部３０のソフトウェア的な構成は、図３に示されている。
【００６２】
図５は、図４の表示部４１３が表示を行うための画面の構成例を示す図である。図５において、画面内には、イメージを表示可能な領域５０１があり、この表示領域５０１は、有効表示領域と非有効表示領域とから構成される。
図示されている例では、非有効表示領域は、画面上部および下部の２箇所にある（これらをヘッダ５０２およびフッタ５０３と呼ぶことにする）。これらヘッダ５０２およびフッタ５０３に移動体装置の状態（例えばバッテリ残量や受信電波強度等）示すシンボルなどが表示される。
有効表示領域５０４は、非有効領域以外の領域、すなわちヘッダ５０２およびフッタ５０３に挟まれた部分であり、そこにＷＷＷサーバ１８，１９から取得したイメージが背景画面として表示される。
【００６３】
有効表示領域５０４の一部（図中、参照番号５０５で示される領域）は、必要に応じ、非有効表示領域として使用される。このような、有効表示領域５０４の一部であるが必要に応じて非有効表示領域として使用されている領域５０５を、”テンポラリな非有効表示領域”と呼ぶ。これと対比して、ヘッダ５０２およびフッタ５０３を”スタティックな非有効表示領域”と呼ぶ。
すなわち、有効表示領域５０４のサイズは、可変的である。図示されている例では、（８０×９０）および（８０×７０）の２種類のサイズのいずれかとなる。
【００６４】
図３において、本実施形態では、ブラウザアプリ１０５に組み込まれる上記のプログラムは、ＷＷＷサーバ１８，１９から取得したイメージのサイズを表示部２９（図４の表示部４１３）の画面サイズに適合するようにサイズ変換して表示するためのイメージサイズ変換表示プログラムである。このイメージサイズ変換表示プログラムに従ってＣＰＵ３１が動作することによって、図４に示される各ブロックの機能（後述）が実現される。
【００６５】
図４において、本発明の第１の実施形態に係る移動体装置は、入力部４０１と、入力判定部４０２と、有効表示領域サイズ設定部４０３と、有効表示領域サイズ記憶部４０４と、イメージサイズ変換フォーム設定部４０５と、イメージサイズ変換フォーム記憶部４０６と、イメージ取得部４０７と、イメージ蓄積記憶部４０８と、イメージ選択部４０９と、はみ出し判定部４１０と、イメージサイズ変換部４１１と、表示イメージ一時記憶部４１２と、表示部４１３とを備えている。
【００６６】
入力部４０１は、ユーザからの指示入力を受け付ける。入力判定部４０２は、入力部４０１が受け付けた指示（有効表示領域サイズ設定指示、イメージサイズ変換フォーム設定指示、イメージ取得指示、イメージ選択指示など）を判定する。有効表示領域サイズ設定部４０３は、有効表示領域サイズを設定する。有効表示領域サイズ記憶部４０４は、有効表示領域サイズ設定部４０３が設定した有効表示領域サイズを記憶する。
【００６７】
イメージサイズ変換フォーム設定部４０５は、イメージサイズ変換フォームを設定をする。イメージサイズ変換フォーム記憶部４０６は、イメージサイズ変換フォーム設定部４０５が設定したイメージサイズ変換フォームを記憶する。
イメージ取得部４０７は、ＷＷＷサーバ１８，１９からインターネット１７を通じてイメージを取得する。イメージ蓄積記憶部４０８は、イメージ取得部４０７が取得したイメージを蓄積記憶する。
【００６８】
イメージ選択部４０９は、イメージ蓄積記憶部４０８が蓄積記憶したイメージの１つを選択する。はみ出し判定部４１０は、イメージ選択部４０９が選択したイメージのサイズを、有効表示領域サイズ記憶部４０４が記憶した有効表示領域サイズと比較して、そのイメージが有効表示領域５０４からはみ出すか否かを判定する。
【００６９】
イメージサイズ変換部４１１は、イメージ選択部４０９が選択したイメージのサイズを、有効表示領域サイズ記憶部４０４が記憶した有効表示領域サイズに適合するように、イメージサイズ変換フォーム記憶部４０６が記憶したフォームを用いて変換する。
表示イメージ一時記憶部４１２は、イメージ選択部４０９が選択したイメージ、またはイメージサイズ変換部４１１が変換して得られたイメージ（すなわちサイズ変換後のイメージ）を、表示用イメージとして一時記憶する。表示部４１３は、表示イメージ一時記憶部４１２に記憶されているイメージを、背景画面として有効表示領域５０４内に表示する。
【００７０】
図６は、図４に示される移動体装置がＷＷＷサーバ１８，１９からイメージを取得してサイズ変換し、図５に示される有効表示領域５０４内に背景画面として表示する動作を示すフローチャートである。以下、図４〜６を参照しながら、本発明の第１の実施形態に係る移動体装置の動作を説明する。
【００７１】
図６において、本移動体装置の電源が入れられると、入力部４０１は、ユーザからの指示入力を受け付ける動作を開始する（ステップＳ１０１）。次に、入力判定部４０２は、入力部４０１が受け付けた指示が有効表示領域サイズ設定指示であるか否かを判定する（ステップＳ１０２）。ステップＳ１０２の判定結果が否定の場合、引き続き、ステップＳ１０５が実行される。
ステップＳ１０２の判定結果が肯定の場合、有効表示領域サイズ設定部４０３は、有効表示領域サイズの設定を行う（ステップＳ１０３）。次に、有効表示領域サイズ記憶部４０４は、ステップＳ１０３で有効表示領域サイズ設定部４０３が設定したサイズを記憶する（ステップＳ１０４）。
【００７２】
次に、入力判定部４０２は、入力部４０１が受け付けた指示がイメージサイズ変換フォーム設定指示であるか否かを判定する（ステップＳ１０５）。ステップＳ１０５の判定結果が否定の場合、引き続き、ステップＳ１０８が実行される。
ステップＳ１０５の判定結果が肯定の場合、イメージサイズ変換フォーム設定部４０５は、イメージサイズ変換フォームの設定を行う（ステップＳ１０６）。次に、イメージサイズ変換フォーム記憶部４０６は、ステップＳ１０６でイメージサイズ変換フォーム設定部４０５が設定したフォームを記憶する（ステップＳ１０７）。
【００７３】
次に、入力判定部４０２は、入力部４０１が受け付けた指示がイメージ取得指示であるか否かを判定する（ステップＳ１０８）。ステップＳ１０８の判定結果が否定の場合、引き続き、ステップＳ１１１が実行される。
ステップＳ１０８の判定結果が肯定の場合、イメージ取得部４０７は、ＷＷＷサーバ１８，１９からインターネット１７を通じてイメージを取得する（ステップＳ１０９）。次に、イメージ蓄積記憶部４０８は、ステップＳ１０９でイメージ取得部４０７が取得したイメージを蓄積記憶する（ステップＳ１１０）。
【００７４】
次に、入力判定部４０２は、入力部４０１が受け付けた指示がイメージ選択指示であるか否かを判定する（ステップＳ１１１）。ステップＳ１１１の判定結果が否定の場合、引き続き、ステップＳ１１７が実行される。
ステップＳ１１１の判定結果が肯定の場合、イメージ選択部４０９は、ステップＳ１１０でイメージ蓄積記憶部４０８が蓄積記憶したイメージのうち１つを選択する（ステップＳ１１２）。
【００７５】
次に、はみ出し判定部４１０は、ステップＳ１１０でイメージ選択部４０９が選択したイメージのサイズを、ステップＳ１０４で有効表示領域サイズ記憶部４０４が記憶した有効表示領域サイズと比較して、そのイメージが有効表示領域５０４からはみ出すか否かを判定する（ステップＳ１１３）。ステップＳ１１３の判定結果が否定の場合、それに続いて、ステップＳ１１５〜Ｓ１１７が実行される。
【００７６】
ステップＳ１１３の判定結果が肯定の場合、イメージサイズ変換部４１１は、ステップＳ１０７でイメージ選択部４０９が選択したイメージのサイズを、ステップＳ１０４で有効表示領域サイズ記憶部４０４が記憶した有効表示領域サイズに適合するように、ステップＳ１０７でイメージサイズ変換フォーム記憶部４０６が記憶したフォームを用いて変換する（ステップＳ１１４）。それに続いて、ステップＳ１１５〜Ｓ１１７が実行される。
【００７７】
ステップＳ１１５では、表示イメージ一時記憶部４１２は、表示用イメージを一時記憶する。すなわち、表示イメージ一時記憶部４１２は、ステップＳ１１０でイメージ選択部４０９が選択したイメージ、またはステップＳ１１５でイメージサイズ変換部４１１がサイズ変換して得られたイメージ（すなわちサイズ変換後のイメージ）を、表示用イメージとして一時記憶する。
【００７８】
ステップＳ１１６では、表示部４１３は、表示イメージ一時記憶部４１２に記憶されているイメージ（すなわちステップＳ１１２で選択されたイメージ、またはステップＳ１１４でサイズ変換して得られたイメージ）を、背景画面として有効表示領域５０４内に表示する。
【００７９】
ステップＳ１１７では、入力判定部４０２は、入力部４０１が受け付けた指示がイメージ表示停止指示であるか否かを判定する。ステップＳ１１７の判定結果が肯定の場合、表示部４１３は、イメージ表示を停止し、否定の場合は、再び上記ステップＳ１０１〜Ｓ１１７が実行される。
以上が、本移動体装置の動作の概略である。
【００８０】
次に、上記ステップＳ１０１〜Ｓ１１７のうち主要なステップについて、詳細に説明する。
ステップＳ１０３，Ｓ１０４の有効表示領域サイズ設定・記憶処理は、次のようにして行われる。有効表示領域サイズ設定部４０３には、有効表示領域サイズとして設定可能ないくつかのサイズが予め準備されており、ユーザが入力部４０１の特定のボタンを押すと、有効表示領域サイズ設定部４０３は、それらのサイズのいずれかを選択し、有効表示領域サイズとして設定する。有効表示領域サイズ設定部４０３によって設定されたサイズは、有効表示領域サイズ記憶部４０４によって記憶される。
図５の例では、有効表示領域サイズ設定部４０３によって、（８０×９０）または（８０×７０）のいずれかのサイズが設定され、設定されたサイズが有効表示領域サイズ記憶部４０４によって記憶される。
【００８１】
あるいは、ユーザが入力部４０１のキーボードを操作して任意のサイズを指定し、有効表示領域サイズ設定部４０３は、指定されたサイズを有効表示領域サイズとして設定するようにしてもよい。
【００８２】
ステップＳ１０６，Ｓ１０７のイメージ変換フォーム設定・記憶処理は、次のようにして行われる。すなわち、イメージ変換フォーム設定部には、いくつかのイメージ変換フォームが予め準備されており、ユーザが入力部４０１の特定のボタンを押すと、イメージ変換フォーム設定部は、それらのフォームのいずれかを選択し、そのフォームをイメージサイズ変換フォームとして設定する。イメージサイズ変換フォーム設定部４０５によって設定されたフォームは、イメージサイズ変換フォーム記憶部４０６によって記憶される。
【００８３】
イメージ変換フォーム設定部において準備されるイメージサイズ変換フォームは、第１〜第３の３つのイメージサイズ変換フォームである。
図７〜図９は、第１〜第３のイメージサイズ変換フォームを視覚的に示した図である。
第１のイメージサイズ変換フォームは、図７に示されるように、縦横同一比率でイメージを縮小する（つまり一定の割合で画素を間引くことによって解像度を落とす）ようなフォームである。この第１のフォームを用いれば、変換後のイメージは、その縦横比が変わる（つまり形状が扁平する）ことなく、かつその全体が有効表示領域内に収まるサイズになる。
【００８４】
第２のイメージサイズ変換フォームは、図８に示されるように、イメージの一部を切り取ることによって、イメージのサイズをより小さく変換するフォームである。この第２のフォームを用いれば、変換後のイメージは、有効表示領域からはみ出す部分が削除されるものの、その解像度が落ちることがなくなる。
第３のイメージサイズ変換フォームは、図９に示されるように、イメージを縦横個別の比率で縮小する変換フォームである。この第３のフォームを用いれば、変換後のイメージは、形状が扁平するものの、その全体が過不足なく有効表示領域内に収まるサイズになる。
【００８５】
ステップＳ１１０のイメージ蓄積記憶処理では、イメージ蓄積記憶部４０８は、蓄積しようとするイメージに識別子（ＩＤ）として、例えば連続番号（０，１，２，…）を順番に付与する。
【００８６】
ステップＳ１１２のイメージ選択処理は、次のようにして行われる。ステップＳ１１０でイメージ蓄積記憶部４０８が蓄積記憶したイメージが１枚だけの場合、イメージ選択部４０９は、そのイメージを選択する。
ステップＳ１１０でイメージ蓄積記憶部４０８が蓄積記憶したイメージが複数枚の場合、イメージ選択部４０９は、ステップＳ１１０でイメージ蓄積記憶部４０８が付与した識別子を参照して、それら複数枚のイメージのうちいずれか１枚を選択する。
ここでは、最も簡単な選択方法の一例を挙げる。すなわち、ステップＳ１１０でイメージ蓄積記憶部４０８が例えば３枚のイメージ（ＩＤ＝１〜３）を蓄積記憶したとすると、イメージ選択部４０９は、１枚目のイメージ（ＩＤ＝１）を選択する。
【００８７】
ステップＳ１１３のはみ出し判定処理は、次のようにして行われる。
はみ出し判定部４１０は、最初、ステップＳ１１２でイメージ選択部４０９が選択したイメージのサイズを検出する。なお、ＷＷＷサーバ１８，１９から提供されるイメージには、そのサイズを示すデータが添付されており、そのデータに基づいてイメージのサイズを検出することができる。
次に、はみ出し判定部４１０は、横方向および縦方向それぞれについて、イメージのサイズと有効表示領域のサイズとの比較を行い、はみ出しが起こるか否かを判定する。
【００８８】
ステップＳ１１４のイメージサイズ変換処理は、次のようにして行われる。
（１）ステップＳ１０７でイメージサイズ変換フォーム記憶部４０６が記憶したフォームが上記第１のフォームであり、かつステップＳ１１３のはみ出し判定処理ではみ出し判定部４１０が横方向のはみ出しが起こると判定した場合、イメージサイズ変換部４１１は、変換後のイメージの横サイズが有効表示領域の横サイズと一致するような伸縮率を算出し、イメージを縦方向および横方向共にその伸縮率で縮小する。
【００８９】
上記（１）の処理の一例が、図７（Ａ）に示されている。この例では、はみ出し判定部４１０は、有効表示領域の横サイズ８０と、イメージの横サイズ１２０とを比較して、横方向のはみ出しが起こると判定する。そこで、イメージサイズ変換部４１１は、８０を１２０で除することによって、伸縮率（２／３）を算出する。そして、第１のフォームに基づいて、イメージを縦方向および横方向共に（２／３）倍に縮小する。
【００９０】
（２）ステップＳ１０７でイメージサイズ変換フォーム記憶部４０６が記憶したフォームが上記第１のフォームであり、かつステップＳ１１３のはみ出し判定処理ではみ出し判定部４１０が縦方向のはみ出しが起こると判定した場合、イメージサイズ変換部４１１は、変換後のイメージの縦サイズが有効表示領域の縦サイズと一致するような伸縮率を算出し、イメージを縦方向および横方向共にその伸縮率で縮小する。
【００９１】
上記（２）の処理の一例が、図７（Ｂ）に示されている。この例では、はみ出し判定部４１０は、有効表示領域の縦サイズ９０と、イメージの縦サイズ１５０とを比較して、縦方向のはみ出しが起こると判定する。そこで、イメージサイズ変換部４１１は、９０を１５０で除することによって、伸縮率（３／５）を算出する。そして、第１のフォームに基づいて、イメージを縦方向および横方向共に（３／５）倍に縮小する。
【００９２】
（３）ステップＳ１０７でイメージサイズ変換フォーム記憶部４０６が記憶したフォームが上記第１のフォームであり、かつステップＳ１１３のはみ出し判定処理ではみ出し判定部４１０が縦方向および横方向のはみ出しが起こると判定した場合、イメージサイズ変換部４１１は、変換後のイメージの縦サイズが有効表示領域の縦サイズと一致するような伸縮率と、変換後のイメージの横サイズが有効表示領域の横サイズと一致するような伸縮率とを算出し、イメージを縦方向および横方向共に、それら２つの伸縮率のうち小さい方の伸縮率で縮小する。
【００９３】
上記（３）の処理の一例が、図７（Ｃ）に示されている。この例では、はみ出し判定部４１０は、有効表示領域の横サイズ８０と、イメージの横サイズ１２０とを比較して、横方向のはみ出しが起こると判定する。また、有効表示領域の縦サイズ９０と、イメージの縦サイズ１５０とを比較して、縦方向のはみ出しが起こると判定する。そこで、イメージサイズ変換部４１１は、８０を１２０で除することによって、伸縮率（２／３）を算出する。また、９０を１５０で除することによって、伸縮率（３／５）を算出する。そして、第１のフォームに基づいて、イメージを縦方向および横方向共に（３／５）倍に縮小する（なぜなら、（２／３）と（３／５）とでは、後者の方が小さいからである）。
【００９４】
（４）ステップＳ１０７でイメージサイズ変換フォーム記憶部４０６が記憶したフォームが上記第２のフォームであり、かつステップＳ１１３のはみ出し判定処理ではみ出し判定部４１０が横方向のはみ出しが起こると判定した場合、イメージサイズ変換部４１１は、有効表示領域からはみ出したイメージの左端部分および右端部分を削除する。
【００９５】
上記（４）の処理の一例が、図８（Ａ）に示されている。この例では、はみ出し判定部４１０は、有効表示領域の横サイズ８０と、イメージの横サイズ１２０とを比較して、横方向のはみ出しが起こると判定する。そこで、イメージサイズ変換部４１１は、第２のフォームに基づいて、イメージから左端部分（横サイズ２０相当）および右端部分（横サイズ２０相当）を削除する。なお、イメージの左右を均等に削除する代わりに、左端部分（横サイズ４０相当）だけを削除してもよく、右端部分（横サイズ４０相当）だけを削除してもよい。
【００９６】
（５）ステップＳ１０７でイメージサイズ変換フォーム記憶部４０６が記憶したフォームが上記第２のフォームであり、かつステップＳ１１３のはみ出し判定処理ではみ出し判定部４１０が縦方向のはみ出しが起こると判定した場合、イメージサイズ変換部４１１は、有効表示領域からはみ出したイメージの上端部分および下端部分を削除する。
【００９７】
上記（５）の処理の一例が、図８（Ｂ）に示されている。この例では、はみ出し判定部４１０は、有効表示領域の縦サイズ９０と、イメージの縦サイズ１５０とを比較して、縦方向のはみ出しが起こると判定する。そこで、イメージサイズ変換部４１１は、第２のフォームに基づいて、イメージの上端部分（縦サイズ３０相当）および下端部分（縦サイズ３０相当）を削除する。なお、イメージの上下を均等に削除する代わりに、上端部分（縦サイズ６０相当）だけを削除してもよく、下端部分（縦サイズ６０相当）だけを削除してもよい。
【００９８】
（６）ステップＳ１０７でイメージサイズ変換フォーム記憶部４０６が記憶したフォームが上記第２のフォームであり、かつステップＳ１１３のはみ出し判定処理ではみ出し判定部４１０が縦方向および横方向のはみ出しが起こると判定した場合、イメージサイズ変換部４１１は、最初、有効表示領域からはみ出したイメージの左端部分および右端部分を削除し、次いで、有効表示領域からはみ出したイメージの上端部分および下端部分を削除する。
【００９９】
上記（６）の処理の一例が、図８（Ｃ）に示されている。この例では、はみ出し判定部４１０は、有効表示領域の横サイズ８０と、イメージの横サイズ１２０とを比較して、横方向のはみ出しが起こると判定する。また、有効表示領域の縦サイズ９０と、イメージの縦サイズ１５０とを比較して、縦方向のはみ出しが起こると判定する。そこで、イメージサイズ変換部４１１は、第２のフォームに基づいて、最初、イメージの左端部分（横サイズ２０相当）および右端部分（横サイズ２０相当）を削除し、次いで、イメージの上端部分（縦サイズ３０相当）および下端部分（縦サイズ３０相当）を削除する。
【０１００】
（７）ステップＳ１０７でイメージサイズ変換フォーム記憶部４０６が記憶したフォームが上記第３のフォームであり、かつステップＳ１１３のはみ出し判定処理ではみ出し判定部４１０が横方向のはみ出しが起こると判定した場合、イメージサイズ変換部４１１は、変換後のイメージの横サイズが有効表示領域の横サイズと一致するような伸縮率を算出し、イメージを横方向にその伸縮率で縮小する。
【０１０１】
上記（７）の処理の一例が、図９（Ａ）に示されている。この例では、はみ出し判定部４１０は、有効表示領域の横サイズ８０と、イメージの横サイズ１２０とを比較して、横方向のはみ出しが起こると判定する。そこで、イメージサイズ変換部４１１は、８０を１２０で除することによって、伸縮率（２／３）を算出する。そして、第３のフォームに基づいて、イメージを横方向に（２／３）倍に縮小する。
【０１０２】
（８）ステップＳ１０７でイメージサイズ変換フォーム記憶部４０６が記憶したフォームが上記第３のフォームであり、かつステップＳ１１３のはみ出し判定処理ではみ出し判定部４１０が縦方向のはみ出しが起こると判定した場合、イメージサイズ変換部４１１は、変換後のイメージの縦サイズが有効表示領域の縦サイズと一致するような伸縮率を算出し、イメージを縦方向にその伸縮率で縮小する。
【０１０３】
上記（８）の処理の一例が、図９（Ｂ）に示されている。この例では、はみ出し判定部４１０は、有効表示領域の縦サイズ９０と、イメージの縦サイズ１５０とを比較して、縦方向のはみ出しが起こると判定する。そこで、イメージサイズ変換部４１１は、９０を１５０で除することによって、伸縮率（３／５）を算出する。そして、第３のフォームに基づいて、イメージを縦方向に（３／５）倍に縮小する。
【０１０４】
（９）ステップＳ１０７でイメージサイズ変換フォーム記憶部４０６が記憶したフォームが上記第３のフォームであり、かつステップＳ１１３のはみ出し判定処理ではみ出し判定部４１０が縦方向および横方向のはみ出しが起こると判定した場合、イメージサイズ変換部４１１は、変換後のイメージの横サイズが有効表示領域の横サイズと一致するような伸縮率と、変換後のイメージの縦サイズが有効表示領域の縦サイズと一致するような伸縮率とを算出する。そして、最初、イメージを横方向に前者の伸縮率で縮小し、次いで、横方向に縮小されたイメージを、さらに縦方向に後者の伸縮率で縮小する。
【０１０５】
上記（９）の処理の一例が、図９（Ｃ）に示されている。この例では、はみ出し判定部４１０は、有効表示領域の横サイズ８０と、イメージの横サイズ１２０とを比較して、横方向のはみ出しが起こると判定する。また、有効表示領域の縦サイズ９０と、イメージの縦サイズ１５０とを比較して、縦方向のはみ出しが起こると判定する。そこで、イメージサイズ変換部４１１は、８０を１２０で除することによって、伸縮率（２／３）を算出する。また、９０を１５０で除することによって、伸縮率（３／５）を算出する。そして、第３のフォームに基づいて、最初、イメージを横方向に（２／３）倍に縮小し、次いで、横方向に縮小されたイメージを縦方向に（３／５）倍に縮小する。
【０１０６】
なお、以上では、移動体装置がＷＷＷサーバ１８，１９からインターネット１７を通じてイメージを取得するとしたが、イメージを取得する主体は、例えば携帯情報端末など、移動体装置以外の情報端末装置であってもよい。また、イメージを取得する先は、例えばメールサーバなど、ＷＷＷサーバ１８，１９以外のサーバであってもよい。また、イメージを伝達する媒体は、例えば通信ネットワークやＣＡＴＶネットワークなど、インターネット１７以外のネットワークであってもよい。
【０１０７】
以上のように、本実施形態によれば、サーバからイメージを取得し、そのイメージをサイズ変換して背景画面として利用することができるようになる。
【０１０８】
なお、本実施形態では、ステップＳ１１２のイメージ選択処理として、複数枚のイメージのうちいずれかを選択する場合、複数枚のイメージのうち１枚目のイメージをイメージ選択部４０９が自動的に選択するとしたが、代わりに、ユーザが入力部４０１を通じてどのイメージを選択するかを任意に指定してもよい。その場合、イメージ選択部４０９は、ユーザによって指定されたイメージを選択する。
【０１０９】
ユーザが複数枚のイメージのうちいずれかを指定するのを受けてイメージを選択するには、例えば、イメージリストボックス作成部をさらに設け、かつ、イメージ選択部４０９に、フォーカス機能および決定機能を持たせればよい。
イメージリストボックス作成部は、複数のボックスで構成され、かつ各ボックス内にそれぞれ１枚のイメージ、あるいはイメージと互いに関連付けられ、かつそのイメージが何のイメージであるかをユーザが識別できるような情報（以下、イメージ情報）が記載されたようなイメージリストボックスを作成する。
【０１１０】
イメージリストボックスに記載されるイメージ情報としては、イメージの格納位置（”ｍｏｏｎ．ｇｉｆ”や”ｓｔａｒ．ｇｉｆ”など）を用いるのがよい。なぜなら、イメージの格納位置は、そのイメージと互いに関連付けられており、かつ、多くの場合そのイメージの名称を含むので、どのようなイメージと対応しているかをユーザが即座に理解できる。しかも、イメージの格納位置は、ＨＴＭＬ文書を解析することにより容易に得られる（イメージを取得するのに先立ってＷＷＷサーバ１８，１９からＨＴＭＬ文書を取得しているはずである）。
【０１１１】
イメージ選択部４０９は、イメージリストボックスを構成する複数のボックスのうちいずれか１つにフォーカスを当てると共に、ユーザのキー操作に応じて、フォーカスを上下（および／または左右）に移動させる。そして、ある１つのボックスにフォーカスを当てた状態において、ユーザのキー操作により決定が入力されると、イメージ選択部４０９は、そのボックス内に記載された１つのイメージ（またはイメージ情報）を選択する。
【０１１２】
（第２の実施形態）
図１０は、本発明の第２の実施形態に係る移動体装置の機能的な構成を示すブロック図である。図１０に示される移動体装置は、図１に示される移動体装置１０，１１と対応している。そのハードウエア的な構成は、図２に示され、図２の通信アプリ部３０のソフトウェア的な構成は、図３に示されている。
【０１１３】
図１１は、図１０の表示部１０１３が持つ画面上の表示領域１１０１と、入力部１００１が持つキーボードの構成の一例とを示す模式図である。図１１において、キーボードには、電話番号や文字を入力するためのテンキー１１０２のほか、情報選択を行うための上キー１１０３、下キー１１０４、左キー１１０５、右キー１１０６および決定キー１１０７が含まれる。以下では、上キー１１０３、下キー１１０４および決定キー１１０７を用いて情報選択を行うものとする。
【０１１４】
図３において、本実施形態では、ブラウザアプリ１０５に組み込まれる上記のプログラムは、ＷＷＷサーバ１８，１９から取得したＨＴＭＬ文書に含まれる複数の情報のうちいずれか１つを選択して利用するためのプログラム、典型的には、複数枚のイメージの格納位置のうちいずれか１つを選択して表示するためのイメージ選択表示プログラムである。このイメージ選択表示プログラムに従ってＣＰＵ３１が動作することによって、図１０に示される各ブロックの機能（後述）が実現される。
【０１１５】
図１０において、本発明の第１の実施形態に係る移動体装置は、入力部１００１と、入力判定部１００２と、抽出要素種別設定部１００３と、抽出要素種別記憶部１００４と、ＨＴＭＬ取得部１００５と、ＨＴＭＬ蓄積記憶部１００６と、ＨＴＭＬ文書解析部１００７と、ＨＴＭＬ要素情報蓄積記憶部１００８と、情報抽出部１００９と、抽出情報記憶部１０１０と、情報リストボックス作成部１０１１と、情報リストボックス一時記憶部１０１２と、表示部１０１３と、情報選択部１０１４と、要素取得部１０１５と、表示イメージ一時記憶部１０１６とを備えている。
【０１１６】
入力部１００１は、ユーザからの指示入力を受け付ける。入力判定部１００２は、入力部１００１が受け付けた指示（抽出要素種別設定指示、ＨＴＭＬ文書取得指示、情報選択指示など）を判定する。抽出要素種別設定部１００３は、抽出要素種別（ここでは”イメージ”）を設定する。抽出要素種別記憶部１００４は、抽出要素種別設定部１００３が設定した抽出要素種別を記憶する。
【０１１７】
ＨＴＭＬ取得部１００５は、ＷＷＷサーバ１８，１９からインターネット１７を通じてＨＴＭＬ文書およびイメージを取得する。ＨＴＭＬ蓄積記憶部１００６は、ＨＴＭＬ取得部１００５が取得したＨＴＭＬ文書およびイメージを蓄積記憶する。ＨＴＭＬ文書解析部１００７は、ＨＴＭＬ蓄積記憶部１００６が蓄積記憶したＨＴＭＬ文書を解析する。ＨＴＭＬ要素情報蓄積記憶部１００８は、ＨＴＭＬ文書解析部１００７が解析を行って得られたＨＴＭＬ要素情報を蓄積記憶する。
【０１１８】
情報抽出部１００９は、ＨＴＭＬ要素情報蓄積記憶部１００８が蓄積記憶したＨＴＭＬ要素情報から、抽出要素種別記憶部１００４が記憶した種別に属する要素（ここではイメージ）の持つ情報（ここではイメージの格納位置）だけを抽出する。抽出情報記憶部１０１０は、情報抽出部１００９が抽出した情報を記憶する。情報リストボックス作成部１０１１は、抽出情報記憶部１０１０が記憶した情報（ここでは複数枚のイメージの格納位置）が記載された情報リストボックスを作成する。情報リストボックス一時記憶部１０１２は、情報リストボックス作成部１０１１が作成した情報リストボックスを一時記憶する。
【０１１９】
表示部１０１３は、情報リストボックス一時記憶部１０１２が一時記憶した情報リストボックスを表示し、また、表示イメージ一時記憶部１０１６が一時記憶したイメージを表示領域１１０１内に表示する。情報選択部１０１４は、抽出情報記憶部１０１０が記憶した複数の情報（ここでは複数枚のイメージの格納位置）のいずれか１つを選択する。要素取得部１０１５は、情報選択部１０１４が選択した情報と対応する要素（ここではイメージ）を、ＨＴＭＬ蓄積記憶部１００６に存在すればそこから、存在しなければ外部から取得する（ここではＨＴＭＬ取得部１００５に依頼してＷＷＷサーバ１８，１９からインターネット１７を通じて取得する）。表示イメージ一時記憶部１０１６は、要素取得部１０１５が取得したイメージを表示用イメージとして一時記憶する。
【０１２０】
図１２は、図１０に示される移動体装置がＨＴＭＬ文書を解析し、その解析結果（すなわちＨＴＭＬ要素情報）からイメージの格納位置を示す情報を抽出して情報リストボックスを作成・表示し、ユーザの選択指示を受けて複数枚のイメージの格納位置のうちいずれか１つを選択し、選択した格納位置からイメージを取得して背景画面として表示する一連の動作を示すフローチャートである。以下、図１０〜図１２を参照しながら、本発明の第２の実施形態に係る移動体装置の動作について、詳細に説明する。
【０１２１】
図１２において、本移動体装置の電源が入れられると、入力部１００１は、ユーザからの指示入力を受け付ける動作を開始する（ステップＳ２０１）。次に、入力判定部１００２は、入力部１００１が受け付けた指示が抽出要素種別設定指示であるか否かを判定する（ステップＳ２０２）。ステップＳ２０２の判定結果が否定の場合、引き続き、ステップＳ２０５が実行される。
ステップＳ２０２の判定結果が肯定の場合、抽出要素種別設定部１００３は、抽出要素種別を設定する（ステップＳ２０３）。次に、抽出要素種別記憶部１００４は、ステップＳ２０３で抽出要素種別設定部１００３が設定した抽出要素種別を記憶する（ステップＳ２０４）。
【０１２２】
ここで、上記ステップＳ２０３の抽出要素種別設定処理、およびステップＳ２０４の抽出要素種別記憶処理の詳細について説明する。抽出要素種別設定部１００３には、複数の抽出要素種別が予め準備されている。以下では、３つの抽出要素種別”テキスト”、”リンク”および”イメージ”が準備されているものとする。
抽出要素種別設定部１００３は、本移動体装置の電源が初めて入れられるとき、抽出要素種別の初期設定を行う。初期設定の場合、抽出要素種別設定部１００３は、抽出要素種別として”イメージ”を設定し、抽出要素種別記憶部１００４は、設定された種別”イメージ”を記憶する。
【０１２３】
また、抽出要素種別設定部１００３は、ユーザによって抽出要素種別設定指示がなされたとき、抽出要素種別の再設定を行う。再設定の場合、抽出要素種別設定部１００３は、ユーザによって指定された抽出要素種別（例えば”リンク”）を設定し、抽出要素種別記憶部１００４は、再設定された種別”リンク”を記憶する。
以下では、ステップＳ２０４で抽出要素種別記憶部１００４が抽出要素種別として”イメージ”を記憶したものとして説明する。
【０１２４】
図１２に戻り、次に、入力判定部１００２は、入力部１００１が受け付けた指示がＨＴＭＬ文書取得指示であるか否かを判定する（ステップＳ２０５）。ステップＳ２０５の判定結果が否定の場合、ステップＳ２０１に戻って、入力部１００１が次の入力指示を受け付ける。
ステップＳ２０５の判定結果が肯定の場合、ＨＴＭＬ取得部１００５は、ＷＷＷサーバ１８，１９からインターネット１７を通じてＨＴＭＬ文書を取得する（ステップＳ２０６）。次に、ＨＴＭＬ蓄積記憶部１００６は、ステップＳ２０６でＨＴＭＬ取得部１００５が取得したＨＴＭＬ文書を蓄積記憶する（ステップＳ２０７）。
【０１２５】
次に、ＨＴＭＬ文書解析部１００７は、ステップＳ２０７でＨＴＭＬ蓄積記憶部１００６が蓄積記憶したＨＴＭＬ文書を解析する（ステップＳ２０８）。次に、ＨＴＭＬ要素情報蓄積記憶部１００８は、ステップＳ２０８でＨＴＭＬ文書解析部１００７が解析を行って得られたＨＴＭＬ要素情報を蓄積記憶する（ステップＳ２０９）。
【０１２６】
ここで、上記ステップＳ２０８のＨＴＭＬ文書解析処理、およびステップＳ２０９のＨＴＭＬ要素情報蓄積記憶処理の詳細について説明する。
図１３は、図１２のステップＳ２０７でＨＴＭＬ蓄積記憶部１００６が蓄積記憶したＨＴＭＬ文書の一例を示す図である。図１３において、ＨＴＭＬ文書は、第１〜第７行（１３０１〜１３０７）の７行で構成される。
図１４は、図１２のステップＳ２０８のＨＴＭＬ文書解析処理の詳細を示すフローチャートである。以下、ＨＴＭＬ文書解析部１００７がＨＴＭＬ文書をどのようにして解析するかについて、図１３および図１４を用いて説明する。
【０１２７】
図１４において、ＨＴＭＬ文書解析部１００７は、最初、図１２のステップＳ２０７でＨＴＭＬ蓄積記憶部１００６が蓄積記憶したＨＴＭＬ文書を複数の要素に分解し（ステップＳ３０１）、次いで、各要素に識別子（ＩＤ）を付与する（ステップＳ３０２）。ここでは、ＩＤは、０から始まる連続番号とする。従って、ステップＳ３０１で分解して得られた要素数をＮとすると、各要素にそれぞれＩＤ＝０，１，２，…，（Ｎ−１）が付与されることになる。
【０１２８】
次いで、ＨＴＭＬ文書解析部１００７は、解析処理の対象である要素の識別子を示す”ｋ”に初期値（ここでは０）をセットする（ステップＳ３０３）。次に、ＨＴＭＬ文書解析部１００７は、要素”ｋ”について、予め準備されたいくつかの情報を含むか否かを判定し、さらに、その判定結果に基づいて、その要素”ｋ”が予め準備された複数の要素種別のうちどの種別に属するかを特定する（ステップＳ３０４）。
【０１２９】
次に、ＨＴＭＬ文書解析部１００７は、ステップＳ３０４の解析結果、すなわち、要素”ｋ”がどの要素種別に属し、また、どのような情報を持っているかを、ＨＴＭＬ情報蓄積記憶部に通知する（ステップＳ３０５）。
次に、ＨＴＭＬ文書解析部１００７は、”ｋ”をインクリメントし（ステップＳ３０６）、次いで、”ｋ”が”Ｎ−１”より大きいか否かを判定する（ステップＳ３０７）。そして、ステップＳ３０７の判定結果が否定の場合、ＨＴＭＬ文書解析部１００７は、ステップＳ３０４に戻って上記と同様の処理を繰り返し、肯定の場合、処理を終了する。
【０１３０】
上記一連の処理を、図１３のＨＴＭＬ文書を解析する場合について、より具体的に説明する。上記のステップＳ３０１，Ｓ３０２において、ＨＴＭＬ文書解析部１００７は、そのＨＴＭＬ文書を行単位に分割し、各行１３０１〜１３０７に記述された情報がＨＴＭＬ文書を構成する１つの要素であるとみなして、各要素にＩＤ＝０〜６を付与する。そして、ステップＳ３０４では、ＨＴＭＬ文書解析部１００７は、ＩＤ＝０〜６の各要素（すなわち図１３の第１〜第７行１３０１〜１３０７）について、
（ａ） 文字列を含むか否か、
（ｂ） 格納位置を含むか否か、
（ｃ） リンク先を含むか否か、
をそれぞれ判定する。そして、上記（ａ）〜（ｃ）の判定結果に基づいて、その要素が、予め準備された３つの要素種別”テキスト”、”リンク”および”イメージ”のうちどの種別に属するかを特定する。
【０１３１】
すなわち、ＨＴＭＬ文書解析部１００７は、最初、ＩＤ＝０の要素（第１行１３０１）について、文字列を含むが、格納位置およびリンク情報を含まないと判定し、その判定結果に基づいて、要素種別が”テキスト”であると特定する。次に、ＩＤ＝１の要素（第２行１３０２）について、文字列およびリンク情報を含むが、格納位置を含まないと判定し、その判定結果に基づいて、要素種別が”リンク”であると特定する。次に、ＩＤ＝２の要素（第３行１３０３）について、格納位置を含むが、文字列およびリンク情報を含まないと判定し、その判定結果に基づいて、要素種別が”イメージ”であると特定する。ＩＤ＝３〜６の各要素（第４〜第７行１３０４〜１３０７）についても同様の判定を行い、その判定結果に基づいて要素種別を特定する。
【０１３２】
ＨＴＭＬ要素情報蓄積記憶部１００８は、ＨＴＭＬ文書解析部１００７の解析結果を受け、それをＨＴＭＬ要素情報として蓄積記憶する。
図１５は、図１０のＨＴＭＬ要素情報蓄積記憶部１００８が蓄積記憶するＨＴＭＬ要素情報の一例（図１３のＨＴＭＬ文書を解析して得られたもの）を示す図である。図１５において、ＨＴＭＬ要素情報には、ＨＴＭＬ文書を構成する各要素（ＩＤ＝０〜６）について、その要素の種別（ここでは、”テキスト”、”リンク”および”イメージ”のうちいずれか）と、その要素が持つ情報（ここでは、文字列、格納位置およびリンク先）とが記載されている。
【０１３３】
上記の文字列は、その要素またはＨＴＭＬ文書全体の名称を示す情報（”天体に関する情報”など）であり、格納位置は、その要素の実体が格納されている位置を示す情報（”ｍｏｏｎ．ｇｉｆ”など）であり、リンク先は、その要素のリンク先を示す情報（”ｍｏｏｎ．ｈｔｍｌ”など）である。
【０１３４】
再び図１２戻って、次に、情報抽出部１００９は、ステップＳ２０９でＨＴＭＬ要素情報蓄積記憶部１００８が蓄積記憶したＨＴＭＬ要素情報から、ステップＳ２０４で抽出要素種別記憶部１００４が記憶した種別（ここでは”イメージ”）に属する要素の持つ情報だけを抽出する（ステップＳ２１０）。
従って、図１５に示されるＨＴＭＬ要素情報からは、”イメージ”に属する要素（ＩＤ＝２，４および６が付された３つの要素）が持つ情報、すなわち３枚のイメージの格納位置”ｍｏｏｎ．ｇｉｆ”、”ｓｕｎ．ｇｉｆ”および”ｓｔａｒ．ｇｉｆ”だけが抽出される。
【０１３５】
次に、抽出情報記憶部１０１０は、ステップＳ２１０で情報抽出部１００９が抽出した情報を記憶する（ステップＳ２１１）。次に、情報リストボックス作成部１０１１は、ステップＳ２１１で抽出情報記憶部１０１０が記憶した情報の記載された情報リストボックスを作成する（ステップＳ２１２）。この情報リストボックスは、ステップＳ２１０で情報抽出部１００９が抽出した情報の数と同数のボックスで構成されている。
【０１３６】
次に、情報リストボックス一時記憶部１０１２は、ステップＳ２１２で情報リストボックス作成部１０１１が作成した情報リストボックスを一時記憶する（ステップＳ２１３）。次に、表示部１０１３は、ステップＳ２１３でリスト一時記憶部が一時記憶した情報リストボックスを表示する（ステップＳ２１４）。
【０１３７】
図１６は、ステップＳ２１４で表示部１０１３が表示する情報リストボックスの一例を示す図である。図１６において、情報リストボックスは、縦一列に並べられた３つのボックス１６０１〜１６０３で構成されている。最上位のボックス１６０１から順番に、第０ボックス、第１ボックス、…のように呼ぶことにすると、第０ボックス１６０１には”ｍｏｏｎ．ｇｉｆ”が、第１ボックス１６０２には”ｓｕｎ．ｇｉｆ”が、第２ボックス１６０３には”ｓｔａｒ．ｇｉｆ”がそれぞれ記載されている。
【０１３８】
なお、図１６の情報リストボックスでは、イメージの実体の格納位置”ｍｏｏｎ．ｇｉｆ”、”ｓｕｎ．ｇｉｆ”および”ｓｔａｒ．ｇｉｆ”が文字の態様で記載されているが、代わりに、それらの格納位置からイメージの実体を取得し、図１７に示すように月、太陽および星のイメージそのものを記載してもよい。
【０１３９】
再び図１２に戻って、次に、入力判定部１００２は、入力部１００１が受け付けた指示が情報選択指示であるか否かを判定する（ステップＳ２１５）。ステップＳ２１５の判定結果が否定の場合、ステップＳ２０１に戻って、入力部１００１が次の入力指示を受け付ける。
ステップＳ２１５の判定結果が肯定の場合、情報選択部１０１４は、ステップＳ２１１で抽出情報記憶部１０１０が記憶した情報のいずれか１つを選択する（ステップＳ２１６）。
【０１４０】
ここで、ステップＳ２１６の情報選択処理の詳細について説明する。
図１８は、図１０の情報選択部１０１４の構成を示すブロック図である。図１８において、情報選択部１０１４は、フォーカス部１８０１と、決定部１８０２とを含む。
フォーカス部１８０１は、表示部１０１３によって表示される情報リストボックスにおいて、いずれか１つのボックスにフォーカスを当てる。
【０１４１】
上記の「１つのボックスにフォーカスを当てる」とは、その１つのボックスが他のボックスと視覚的に区別されるようにその１つのボックスの表示態様を変化させる処理、例えばその１つのボックスの枠線を強調したり輝度や色彩を変化させるような処理をいう。以下では、図１９に示すような、情報リストボックス上の１つのボックス１６０２に当てられた枠窓１９０１を、フォーカス１９０１と呼ぶことにする。
【０１４２】
また、フォーカス部１８０１は、表示部１０１３によって表示される情報リストボックスにおいて１つのボックスにフォーカスを当てた状態で入力部１００１の上下キー１１０３，１１０４が押されると、それに応じて、フォーカスを上下のボックスへと移動させる。すなわち、図１９の情報リストボックスにおいて、ボックス１６０２に当てられたフォーカス１９０１は、上キー１１０３が押されると、ボックス１６０２の上隣のボックス１６０１へと移動され、下キー１１０４が押されると、下隣のボックス１６０３へと移動される。
【０１４３】
決定部１８０２は、表示部１０１３によって表示される情報リストボックス（図１９参照）において、フォーカス部１８０１がいずれか１つのボックスにフォーカスを当てた状態で決定キー１１０７が押されると、そのボックス内に記載された情報を、情報選択部１０１４によって選択されるべき情報に決定する。
【０１４４】
図２０は、図１２のステップＳ２１６の選択処理の詳細を示すフローチャートである。図２０に記載されている”ｍａｘ＿ｎｕｍ”は、図１２のステップＳ２１０で情報抽出部１００９が抽出した情報の個数を示す。”ｉｄ”は、ステップＳ２１４で表示部１０１３が表示する情報リストボックスを構成する複数のボックス（ここでは、第０〜第２ボックス１６０１〜１６０３の合計３個のボックス）のうち、フォーカス部１８０１によって現在フォーカスが当てられているボックスを示す。
【０１４５】
図２０において、最初、フォーカス部１８０１は、初期化処理を行う（ステップＳ４０１）。この初期化処理では、”ｉｄ”に初期値（ここでは０）がセットされ、”ｍａｘ＿ｎｕｍ”に抽出情報数（ここでは３）がセットされる。
次に、フォーカス部１８０１は、表示部１０１３によって表示される情報リストボックス（図１９参照）において、”ｉｄ”番目のボックスにフォーカスを当てる（ステップＳ４０２）。すなわち、選択処理の開始当初は、０番目（すなわち最上位）のボックス１６０１にフォーカスが当てられる。
次に、入力判定部１００２は、押されたキーが上キー１１０３、下キー１１０４および決定キー１１０７のうちどれであるかを判定し、その判定結果をフォーカス部１８０１および決定部１８０２に通知する（ステップＳ４０３）。
【０１４６】
下キー１１０４が押された場合、フォーカス部１８０１は、次のような処理を行う。最初、”ｉｄ”をインクリメントし（ステップＳ４０４）、次いで、”ｉｄ”が”ｍａｘ＿ｎｕｍ−１”より大きいか否かを判定する（ステップＳ４０５）。ステップＳ４０５の判定結果が否定の場合、フォーカス部１８０１は、ステップＳ４０２に戻って、”ｉｄ”番目のボックスにフォーカスを当てる。
ステップＳ４０５の判定結果が肯定の場合、フォーカス部１８０１は、”ｉｄ”を初期値（ここでは０）に戻して（ステップＳ４０６）、ステップＳ４０２に戻る。
【０１４７】
すなわち、下キー１１０４が押されると、あるボックスに当てられているフォーカスが下隣のボックスへと移動される（例えば、１番目のボックス１６０２に当てられているフォーカスが２番目のボックス１６０３へと移動される）。ただし、フォーカスが最下位のボックス（ここでは２番目のボックス１６０３）に当てられている状態で下キー１１０４が押された場合、フォーカスは、最上位のボックス（ここでは０番目のボックス１６０１）へとジャンプ移動される。
【０１４８】
上キー１１０３が押された場合、フォーカス部１８０１は、次のような処理を行う。最初、”ｉｄ”をデクリメントし（ステップＳ４０７）、次いで、”ｉｄ”が”０より小さいか否かを判定する（ステップＳ４０８）。ステップＳ４０８の判定結果が否定の場合、フォーカス部１８０１は、ステップＳ４０２に戻って、”ｉｄ”番目のボックスにフォーカスを当てる。
ステップＳ４０８の判定結果が肯定の場合、フォーカス部１８０１は、”ｉｄ”に”ｍａｘ＿ｎｕｍ−１”をセットして（ステップＳ４０９）、ステップＳ４０２に戻る。
【０１４９】
すなわち、上キー１１０３が押されると、あるボックスに当てられているフォーカスが上隣のボックスへと移動される（例えば、１番目のボックス１６０２に当てられているフォーカスが０番目のボックス１６０１へと移動される）。ただし、フォーカスが最上位のボックス（ここでは０番目のボックス１６０１）に当てられている状態で上キー１１０３が押された場合、フォーカスは、最下位のボックス（ここでは２番目のボックス１６０３）へとジャンプ移動される。
【０１５０】
決定キー１１０７が押された場合、決定部１８０２は、フォーカス部１８０１によってフォーカスが当てられているボックス内に記載された情報を、情報選択部１０１４によって選択されるべき情報に決定し（ステップＳ４１０）、その後、情報選択処理が終了される。
【０１５１】
再び図１２に戻って、次に、要素取得部１０１５は、ステップＳ２１６で情報選択部１０１４が選択した情報（ここでは格納位置）と対応する要素（ここではイメージ）がＨＴＭＬ蓄積記憶部１００６に存在するか否かを判定する（ステップＳ２１７）。そして、ステップＳ２１７の判定結果が肯定の場合、要素取得部１０１５は、その要素をＨＴＭＬ蓄積記憶部１００６から取得し（ステップＳ２１８）、次いで、ステップＳ２２１が実行される。
【０１５２】
ステップＳ２１７の判定結果が否定の場合、要素取得部１０１５は、本移動体装置の外部からその要素を取得、ここでは、ＨＴＭＬ取得部１００５に依頼して、ＷＷＷサーバ１８，１９からインターネット１７を通じてその要素を取得し（ステップＳ２１９）、ＨＴＭＬ蓄積記憶部１００６がその要素を蓄積記憶する（ステップＳ２２０）。その後、ステップＳ２２１が実行される。
以下では、ステップＳ２１９で要素取得部１０１５が、位置”ｍｏｏｎ．ｇｉｆ”に格納されたイメージ（図１５においてＩＤ＝２を付された要素）を、ＷＷＷサーバ１８，１９からインターネット１７を通じて取得したものとして説明する。
【０１５３】
次に、表示イメージ一時記憶部１０１６は、ステップＳ２１９で要素取得部１０１５が取得したイメージを表示用イメージとして一時記憶し（ステップＳ２２１）、続いて、表示部１０１３は、表示イメージ一時記憶部１０１６が記憶したイメージを背景画面として表示領域１１０１内に表示する（ステップＳ２２２）。
【０１５４】
次に、入力判定部１００２は、入力部１００１が受け付けた指示がイメージ表示停止指示であるか否かを判定する（ステップＳ２２３）。ステップＳ２２３の判定結果が肯定の場合、表示部１０１３は、イメージ表示を停止し、否定の場合は、再び上記ステップＳ２０１〜Ｓ２２３が実行される。
以上が、本移動体装置の動作である。
【０１５５】
なお、以上では、抽出要素種別として”イメージ”が設定されている場合について説明したが、”リンク”が設定されている場合の移動体装置の動作は、例えば次のようになる。
移動体装置は、図１５のＨＴＭＬ文書から”リンク”に属する要素（すなわち、ＩＤ＝１，３および５の要素）が持つリンク先”ｍｏｏｎ．ｈｔｍｌ”、”ｓｕｎ．ｈｔｍｌ”および”ｓｔａｒ．ｈｔｍｌ”を抽出して、それら３つのリンク先が記載された情報リストボックスを表示する。そして、上記と同様、ユーザがいずれか１つのリンク先を指定すると、移動体装置は、指定されたリンク先を選択する。そして、例えば、そのリンク先にアクセスする。
【０１５６】
また、以上では、情報リストボックスは、縦一列に並べられた複数のボックス（１６０１〜１６０３）で構成されており、フォーカス部１８０１は、上下キー１１０３，１１０４が押されるのに応じてフォーカスを上下に移動させたが、二次元的に並べられた複数のボックスで構成された情報リストボックスを用いてもよい。この場合、フォーカス部１８０１は、上下左右キー１１０３〜１１０６が押されるのに応じてフォーカスを上下左右に移動させる。
【０１５７】
また、以上では、移動体装置がＷＷＷサーバ１８，１９からインターネット１７を通じてイメージを取得するとしたが、第１の実施形態でも述べたように、イメージを取得する主体は、移動体装置以外の情報端末装置であってもよく、イメージを取得する先は、ＷＷＷサーバ１８，１９以外のサーバであってもよく、イメージを伝達する媒体は、インターネット１７以外のネットワークであってもよい。
【０１５８】
以上のように、本実施形態によれば、サーバからイメージを取得して蓄積し、蓄積した複数枚のイメージの中からユーザの希望するイメージを選択して表示することができるようになる。
【図面の簡単な説明】
【図１】本発明の一適用例である移動体通信システムの構成を示すブロック図である。
【図２】図１に示される移動体装置１０の構成の一例を示すブロック図である。
【図３】図２に示される通信アプリ部３０の構成の一例を示すブロック図である。
【図４】本発明の第１の実施形態に係る移動体装置の機能的な構成を示すブロック図である。
【図５】図４の表示部４１３が表示を行うための画面の構成例を示す図である。
【図６】図４に示される移動体装置がＷＷＷサーバ１８，１９からイメージを取得してサイズ変換し、図５に示される有効表示領域５０４内に背景画面として表示する動作を示すフローチャートである。
【図７】第１のイメージサイズ変換フォームを視覚的に示した図である。
【図８】第２のイメージサイズ変換フォームを視覚的に示した図である。
【図９】第３のイメージサイズ変換フォームを視覚的に示した図である。
【図１０】本発明の第２の実施形態に係る移動体装置の機能的な構成を示すブロック図である。
【図１１】図１０の表示部１０１３が持つ画面上の表示領域１１０１と、入力部１００１が持つキーボードの構成の一例とを示す模式図である。
【図１２】図１０に示される移動体装置がＨＴＭＬ文書を解析し、その解析結果（すなわちＨＴＭＬ要素情報）からイメージの格納位置を示す情報を抽出して情報リストボックスを作成・表示し、ユーザの選択指示を受けて複数枚のイメージの格納位置のうちいずれか１つを選択し、選択した格納位置からイメージを取得して背景画面として表示する一連の動作を示すフローチャートである。
【図１３】図１２のステップＳ２０７でＨＴＭＬ蓄積記憶部１００６が蓄積記憶したＨＴＭＬ文書の一例を示す図である。
【図１４】図１２のステップＳ２０８のＨＴＭＬ文書解析処理の詳細を示すフローチャートである。
【図１５】図１０のＨＴＭＬ要素情報蓄積記憶部１００８が蓄積記憶するＨＴＭＬ要素情報の一例（図１３のＨＴＭＬ文書を解析して得られたもの）を示す図である。
【図１６】ステップＳ２１４で表示部１０１３が表示する情報リストボックスの一例を示す図である（イメージの実体の格納位置が文字の態様で記載されている）。
【図１７】ステップＳ２１４で表示部１０１３が表示する情報リストボックスの別の一例を示す図である（イメージそのものが記載されている）。
【図１８】図１０の情報選択部１０１４の構成を示すブロック図である。
【図１９】情報リストボックス上の１つのボックスに当てられるフォーカスを示す図である（ボックス１６０２に当てられた枠窓１９０１がフォーカス）。
【図２０】図１２のステップＳ２１６の選択処理の詳細を示すフローチャートである。
【符号の説明】
１７  インターネット
１８，１９  ＷＷＷサーバ
４０１，１００１  入力部
４０２，１００２  入力判定部
４０３  有効表示領域サイズ設定部
４０４  有効表示領域サイズ記憶部
４０５  イメージサイズ変換フォーム設定部
４０６  イメージサイズ変換フォーム記憶部
４０７  イメージ取得部
４０８  イメージ蓄積記憶部
４０９  イメージ選択部
４１０  はみ出し判定部
４１１  イメージサイズ変換部
４１２，１０１６  表示イメージ一時記憶部
４１３，１０１３  表示部
５０４  有効表示領域
１００３  抽出要素種別設定部
１００４  抽出要素種別記憶部
１００５  ＨＴＭＬ取得部
１００６  ＨＴＭＬ蓄積記憶部
１００７  ＨＴＭＬ文書解析部
１００８  ＨＴＭＬ要素情報蓄積記憶部
１００９  情報抽出部
１０１０  抽出情報記憶部
１０１１  情報リストボックス作成部
１０１２  情報リストボックス一時記憶部
１０１４  情報選択部
１０１５  要素取得部
１１０１  表示領域
１１０３  上キー
１１０４  下キー
１１０７  決定キー
１８０１  フォーカス部
１８０２  決定部
１９０１  フォーカス
【図１】
0003712228.tif 000002
【図２】
0003712228.tif 000003
【図３】
0003712228.tif 000004
【図４】
0003712228.tif 000005
【図５】
0003712228.tif 000006
【図６】
0003712228.tif 000007
【図７】
0003712228.tif 000008
【図８】
0003712228.tif 000009
【図９】
0003712228.tif 000010
【図１０】
0003712228.tif 000011
【図１１】
0003712228.tif 000012
【図１２】
0003712228.tif 000013
【図１３】
0003712228.tif 000014
【図１４】
0003712228.tif 000015
【図１５】
0003712228.tif 000016
【図１６】
0003712228.tif 000017
【図１７】
0003712228.tif 000018
【図１８】
0003712228.tif 000019
【図１９】
0003712228.tif 000020
【図２０】
0003712228.tif 000021